【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
通信回線を介して受信した発信者電話番号を複数記憶する発信者電話番号記憶手段と、
電話番号と登録名を入力する入力手段と、
前記入力手段によって入力された電話番号と登録名が登録される電話帳手段と、を備えた通信装置であって、
前記発信者電話番号記憶手段によって記憶された複数の発信者電話番号から、前記電話帳手段へ登録する発信者電話番号を選択させるとともに、該選択された発信者電話番号を、登録名を対応付ける前に前記電話帳手段へ転送し、該転送された発信者電話番号に前記入力手段によって入力された登録名を対応付けて、該発信者電話番号と登録名とを前記電話帳手段に登録することを特徴とする通信装置。
【請求項２】
前記電話帳手段に登録された発信者電話番号を選択して発呼することを特徴とする請求項１に記載の通信装置。
【請求項３】
通信回線を介して受信した発信者電話番号を複数記憶する発信者電話番号記憶手段と、
電話番号と登録名を入力する入力手段と、
前記入力手段によって入力された電話番号と登録名を登録する電話帳登録手段と、を備えた通信装置であって、
前記発信者電話番号記憶手段によって記憶された複数の発信者電話番号から、前記電話帳登録手段によって登録する発信者電話番号を選択させるとともに、該選択された発信者電話番号を、登録名を対応付ける前に前記電話帳登録手段へ転送し、該転送された発信者電話番号に前記入力手段によって入力された登録名を対応付けて、前記電話帳登録手段によって該発信者電話番号と登録名とを登録することを特徴とする通信装置。
【請求項４】
前記電話帳登録手段によって登録された複数の発信者電話番号から選択して発呼することを特徴とする請求項３に記載の通信装置。
【請求項５】
前記受信した発信者電話番号は、通信回線を介して着呼があったきに受信した電話番号であることを特徴とする請求項１乃至４のいずれかに記載の通信装置。
【請求項６】
発信者番号を表示する表示手段を備え、
通信回線を介して着呼があったきに、受信した発信者電話番号を前記表示手段によって表示することを特徴とする請求項１乃至５のいずれかに記載の通信装置。
【請求項７】
電話番号と登録名を入力ステップにより入力して、前記入力ステップによって入力された電話番号と登録名を電話帳手段に登録し、通信回線を介して受信した発信者電話番号を発信者電話番号記憶手段に複数記憶する通信方法であって、
前記発信者電話番号記憶手段によって記憶された複数の発信者電話番号から、前記電話帳手段へ登録する発信者電話番号を選択させるとともに、該選択された発信者電話番号を、登録名を対応付ける前に前記電話帳手段へ転送し、該転送された発信者電話番号に前記入力ステップによって入力された登録名を対応付けて、該発信者電話番号と登録名とを前記電話帳手段に登録することを特徴とする通信方法。
【請求項８】
前記電話帳手段に登録された発信者電話番号を選択して発呼することを特徴とする請求項７に記載の通信方法。
【請求項９】
電話番号と登録名を入力する入力ステップと、前記入力ステップによって入力された電話番号と登録名を登録する電話帳登録ステップとを有し、通信回線を介して受信した発信者電話番号を発信者電話番号記憶手段に複数記憶する通信方法であって、
前記発信者電話番号記憶手段によって記憶された複数の発信者電話番号から、前記電話帳登録ステップによって登録する発信者電話番号を選択させるとともに、該選択された発信者電話番号を、登録名を対応付ける前に前記電話帳登録ステップへ転送し、該転送された発信者電話番号に前記入力ステップによって入力された登録名を対応付けて、前記電話帳登録ステップによって該発信者電話番号と登録名とを登録することを特徴とする通信方法。
【請求項１０】
前記電話帳登録ステップによって登録された複数の発信者電話番号から選択して発呼することを特徴とする請求項９に記載の通信方法。
【請求項１１】
前記受信した発信者電話番号は、通信回線を介して着呼があったきに受信した電話番号であることを特徴とする請求項７乃至１０のいずれかに記載の通信方法。
【請求項１２】
通信回線を介して着呼があったきに、受信した発信者電話番号を表示手段によって表示することを特徴とする請求項７乃至１１のいずれかに記載の通信方法。
【請求項１３】
コンピュータに、請求項１乃至６のいずれかに記載の通信装置の各手段を機能させるプログラム。
【手続補正２】
【補正対象書類名】明細書
【補正対象項目名】０００７
【補正方法】変更
【補正の内容】
【０００７】
請求項１の発明は、通信回線を介して受信した発信者電話番号を複数記憶する発信者電話番号記憶手段と、電話番号と登録名を入力する入力手段と、前記入力手段によって入力された電話番号と登録名が登録される電話帳手段と、を備えた通信装置であって、前記発信者電話番号記憶手段によって記憶された複数の発信者電話番号から、前記電話帳手段へ登録する発信者電話番号を選択させるとともに、該選択された発信者電話番号を、登録名を対応付ける前に前記電話帳手段へ転送し、該転送された発信者電話番号に前記入力手段によって入力された登録名を対応付けて、該発信者電話番号と登録名とを前記電話帳手段に登録することを特徴としたものである。
また、請求項２の発明は、請求項１の発明において、前記電話帳手段に登録された発信者電話番号を選択して発呼することを特徴としたものである。
また、請求項３の発明は、通信回線を介して受信した発信者電話番号を複数記憶する発信者電話番号記憶手段と、電話番号と登録名を入力する入力手段と、  前記入力手段によって入力された電話番号と登録名を登録する電話帳登録手段と、を備えた通信装置であって、前記発信者電話番号記憶手段によって記憶された複数の発信者電話番号から、前記電話帳登録手段によって登録する発信者電話番号を選択させるとともに、該選択された発信者電話番号を、登録名を対応付ける前に前記電話帳登録手段へ転送し、該転送された発信者電話番号に前記入力手段によって入力された登録名を対応付けて、前記電話帳登録手段によって該発信者電話番号と登録名とを登録することを特徴としたものである。
また、請求項４の発明は、請求項３の発明において、前記電話帳登録手段によって登録された複数の発信者電話番号から選択して発呼することを特徴としたものである。
また、請求項５の発明は、請求項１乃至４のいずれかの発明において、前記受信した発信者電話番号は、通信回線を介して着呼があったきに受信した電話番号であることを特徴としたものである。
また、請求項６の発明は、請求項１乃至５のいずれかの発明において、発信者番号を表示する表示手段を備え、通信回線を介して着呼があったきに、受信した発信者電話番号を前記表示手段によって表示することを特徴としたものである。
また、請求項７の発明は、電話番号と登録名を入力ステップにより入力して、前記入力ステップによって入力された電話番号と登録名を電話帳手段に登録し、通信回線を介して受信した発信者電話番号を発信者電話番号記憶手段に複数記憶する通信方法であって、前記発信者電話番号記憶手段によって記憶された複数の発信者電話番号から、前記電話帳手段へ登録する発信者電話番号を選択させるとともに、該選択された発信者電話番号を、登録名を対応付ける前に前記電話帳手段へ転送し、該転送された発信者電話番号に前記入力ステップによって入力された登録名を対応付けて、該発信者電話番号と登録名とを前記電話帳手段に登録することを特徴としたものである。
また、請求項８の発明は、請求項７の発明において、前記電話帳手段に登録された発信者電話番号を選択して発呼することを特徴としたものである。
また、請求項９の発明は、電話番号と登録名を入力する入力ステップと、前記入力ステップによって入力された電話番号と登録名を登録する電話帳登録ステップとを有し、通信回線を介して受信した発信者電話番号を発信者電話番号記憶手段に複数記憶する通信方法であって、前記発信者電話番号記憶手段によって記憶された複数の発信者電話番号から、前記電話帳登録ステップによって登録する発信者電話番号を選択させるとともに、該選択された発信者電話番号を、登録名を対応付ける前に前記電話帳登録ステップへ転送し、該転送された発信者電話番号に前記入力ステップによって入力された登録名を対応付けて、前記電話帳登録ステップによって該発信者電話番号と登録名とを登録することを特徴としたものである。
また、請求項１０の発明は、請求項９の発明において、前記電話帳登録ステップによって登録された複数の発信者電話番号から選択して発呼することを特徴としたものである。
また、請求項１１の発明は、請求項７乃至１０のいずれかの発明において、前記受信した発信者電話番号は、通信回線を介して着呼があったきに受信した電話番号であることを特徴としたものである。
また、請求項１２の発明は、請求項７乃至１１のいずれかの発明において、通信回線を介して着呼があったきに、受信した発信者電話番号を表示手段によって表示することを特徴としたものである。
また、請求項１３の発明は、コンピュータに、請求項１乃至６のいずれかの発明の通信装置の各手段を機能させるプログラムである。
【手続補正３】
【補正対象書類名】明細書
【補正対象項目名】発明の名称
【補正方法】変更
【補正の内容】
【発明の名称】通信装置、通信方法およびプログラム
【手続補正４】
【補正対象書類名】明細書
【補正対象項目名】０００１
【補正方法】変更
【補正の内容】
【０００１】
本発明は、通信装置、通信方法およびプログラム、より詳細には、発信者側が送信した発信者側の電話番号を受信し、その電話番号を記憶することが可能な通信装置に関し、携帯電話やＰＨＳに応用可能な通信装置、通信方法およびプログラムに関する。
【手続補正５】
【補正対象書類名】明細書
【補正対象項目名】０００６
【補正方法】変更
【補正の内容】
【０００６】
本発明は、上述のような実情を考慮してなされたもので、電話番号の電話帳への登録を、簡単な操作により、しかも、正確に行うことが可能な通信装置、通信方法およびプログラムを提供することを目的としてなされたものである。
【手続補正６】
【補正対象書類名】明細書
【補正対象項目名】０００８
【補正方法】変更
【補正の内容】
【０００８】
本発明によれば、簡単な操作で、しかも、正確に発信者側の電話番号の登録をすることができる。